(57)【要約】【課題】良好な階調特性を維持することができ、複数のレーザ光源の特性のばらつきを抑えることができる画像形成装置を提供する。【解決手段】レーザ光源３０から出力される光線束をパルス幅変調して像担持体４１を露光する露光部３と、前記像担持体４１を現像してトナー像を生成する画像形成部４と、前記画像形成部４により前記像担持体４１に形成され、または、転写ベルト６１に転写された濃度調整用のテストパッチの濃度を検出する濃度測定部９１と、前記濃度測定部９１により測定されたテストパッチの濃度に基づいて前記光線束の強度を調整する強度調整部９２とを備えた画像形成装置であって、前記強度調整部９２は少なくともベタのテストパッチと所定のドット充填率の網点によるテストパッチの一方もしくは両方に基づいて、所定の階調特性が得られるように前記光線束の強度を調整する。【選択図】図１
2008250115.tif 000002
【特許請求の範囲】
【請求項１】
レーザ光源から出力される光線束をパルス幅変調して像担持体を露光する露光部と、前記露光部により露光された像担持体を現像してトナー像を生成する画像形成部と、前記画像形成部により前記像担持体に形成され、または、転写ベルトに転写された濃度調整用のテストパッチの濃度を検出する濃度測定部と、前記濃度測定部により測定されたテストパッチの濃度に基づいて前記光線束の強度を調整する強度調整部とを備えた画像形成装置であって、
前記強度調整部は少なくともベタのテストパッチと所定のドット充填率の網点によるテストパッチの一方もしくは両方に基づいて、所定の階調特性が得られるように前記光線束の強度を調整する画像形成装置。
【請求項２】
前記露光部が同一の像担持体に対して複数のレーザ光源を備えたマルチビーム方式で構成され、前記強度調整部はレーザ光源毎に形成された少なくともベタのテストパッチと所定のドット充填率の網点によるテストパッチの一方もしくは両方に基づいて所定の階調特性が得られるように前記光線束の強度を各別に調整する請求項１記載の画像形成装置。
【請求項３】
前記画像形成部は複数のプロセス速度で画像を形成するようにプロセス速度が切替可能に構成され、前記強度調整部は各プロセス速度に基づいて前記光線束の強度を各別に調整する請求項１または２記載の画像形成装置。
【請求項４】
前記画像形成部がトナー色毎に形成された画像を重ね合わせてカラー画像を生成するように構成され、前記強度調整部はトナー色毎に形成されたベタのテストパッチと所定のドット充填率の網点によるテストパッチの一方もしくは両方に基づいて、所定の階調特性が得られるように前記光線束の強度を調整する請求項１から３の何れかに記載の画像形成装置。
【発明の詳細な説明】
【技術分野】
【０００１】
本発明は、レーザ光源から出力される光線束をパルス幅変調して像担持体を露光する露光部と、前記露光部により露光された像担持体を現像してトナー像を生成する画像形成部と、前記画像形成部により前記像担持体に形成され、または、転写ベルトに転写された濃度調整用のテストパッチの濃度を検出する濃度測定部と、前記濃度測定部により測定されたテストパッチの濃度に基づいて前記光線束の強度を調整する強度調整部とを備えた画像形成装置に関する。
【背景技術】
【０００２】
電子写真方式の画像形成装置には、帯電させた像担持体としての感光体に、前記感光体を露光する露光部に組み込まれるレーザ光源から光線束を出力することで、前記感光体の表面に静電潜像を形成し、形成された静電潜像にトナーを静電付着させて、顕像化したトナー像を用紙に転写することにより画像を形成するレーザ方式の画像形成装置がある。
【０００３】
例えば、特許文献１には、前記レーザ方式の画像形成装置に備えられる光走査装置として、レーザ光源を点灯し、前記レーザ光源から出力される光線束によって感光体を光走査する光走査装置であって、光線束の状態を検出する検出手段と、前記検出手段の検出結果に基づいて光線束の定常の強度が変化するように前記レーザ光源を制御した後、光線束の立ち上がりの強度が変化するように前記レーザ光源を制御する制御手段とを備えた光走査装置が提案されており、前記光走査装置では、出力する光線束の強度を意図的にオーバーシュートさせ、そのオーバーシュート量を調整することにより、光線束の径を安定させて良好な画質を維持していた。
【特許文献１】特開２００２−３０３８１４号公報
【発明の開示】
【発明が解決しようとする課題】
【０００４】
しかし、出力する光線束の強度を意図的にオーバーシュートさせると以下の問題が生じる虞があった。つまり、従来は、階調特性の調整を、現像バイアスの調整、現像バイアスの周波数調整等によって行なっていたところ、更なる高画質化のために、これらに加えて光線束の強度を用いて階調特性の調整を行なうと、濃度が高い画素の静電潜像を形成する場合に、オーバーシュートの影響が大きくなることで、階調とトナー濃度の階調特性が高階調領域で飽和してしまい、画像の品質を劣化させる虞があった。
【０００５】
ところで、近年、画像形成装置によって形成される画像の高解像度化や、画像形成装置の画像形成処理の高速化が進んでおり、前記レーザ方式の画像形成装置は、それらに対応するために、一つの感光体に対して出力する光線束の数を増加させる、つまり、光線束を出力する前記レーザ光源（例えば、レーザダイオード）を一つの感光体について複数設ける、所謂マルチビーム方式を採用するケースが増加している。
【０００６】
しかし、マルチビーム方式では、一つの感光体に対して複数のレーザ光源から光線束を照射するため、各レーザ光源の特性のばらつきを抑える必要がある。例えば、レーザ光源としてのレーザダイオードの各々が、同一の感光体に対して照射エネルギーが均一であること、レーザ光源の発光パターンにばらつきが無いこと等が要求される。
【０００７】
また、画像形成装置が、使用される用紙の厚み等に応じてプロセス速度が異なる構成である場合には、プロセス速度の違いに応じて各レーザ光源から照射される光線束の強度を変える必要がある。つまり、プロセス速度毎の各レーザ光源の特性のばらつきを抑える必要がある。
【０００８】
さらに、画像形成装置がタンデム方式等のカラー画像形成装置である場合には、各色の感光体に光線束を出力するレーザ光源毎の特性のばらつきを抑える必要もある。
【０００９】
本発明の目的は、上述の問題に鑑み、良好な階調特性を維持することができ、複数のレーザ光源の特性のばらつきを抑えることができる画像形成装置を提供する点にある。
【課題を解決するための手段】
【００１０】
上述の目的を達成するため、本発明による画像形成装置の第一の特徴構成は、特許請求の範囲の書類の請求項１に記載した通り、レーザ光源から出力される光線束をパルス幅変調して像担持体を露光する露光部と、前記露光部により露光された像担持体を現像してトナー像を生成する画像形成部と、前記画像形成部により前記像担持体に形成され、または、転写ベルトに転写された濃度調整用のテストパッチの濃度を検出する濃度測定部と、前記濃度測定部により測定されたテストパッチの濃度に基づいて前記光線束の強度を調整する強度調整部とを備えた画像形成装置であって、前記強度調整部は少なくともベタのテストパッチと所定のドット充填率の網点によるテストパッチの一方もしくは両方に基づいて、所定の階調特性が得られるように前記光線束の強度を調整する点にある。
【００１１】
階調特性の高濃度領域では、図７の破線に示すように、オーバーシュートの影響で階調特性が飽和するので、オーバーシュートが階調特性に対して悪く作用する。逆に、階調特性の低濃度領域では、一定の画像領域に存在する数少ない画素を確実に表示させるために光線束をオーバーシュートさせることが有効である。
【００１２】
よって、上述の構成によれば、高濃度領域であるベタのテストパッチで光線束の強度を調整する、つまり図７のＡ点を導出するとともに、オーバーシュートの必要性が高い低濃度領域よりは濃度が若干高い所定ドット充填率の網点によるテストパッチで光線束の強度を調整する、つまり図７のＢ点を導出して、Ａ点とＢ点に基づいて、例えば、図７の実線に示すように、擬似的に階調特性を導出することで、階調特性の高濃度領域における飽和を低減させて、良好な階調特性を維持することができる。尚、少なくともベタのテストパッチと所定のドット充填率の網点によるテストパッチの何れか一方に基づいて、所定の階調特性が得られるように前記光線束の強度を調整することもできる。
【００１３】
同第二の特徴構成は、同請求項２に記載した通り、上述の第一の特徴構成に加えて、前記露光部が同一の像担持体に対して複数のレーザ光源を備えたマルチビーム方式で構成され、前記強度調整部はレーザ光源毎に形成された少なくともベタのテストパッチと所定のドット充填率の網点によるテストパッチの一方もしくは両方に基づいて所定の階調特性が得られるように前記光線束の強度を各別に調整する点にある。
【００１４】
上述の構成によれば、強度調整部が、夫々のレーザ光源について個別に光線束の強度を調整することで、夫々のレーザ光源について適正な階調特性を得ることができるので、各レーザ光源の特性のばらつきを低減することができる。
【００１５】
同第三の特徴構成は、同請求項３に記載した通り、上述の第一または第二特徴構成に加えて、前記画像形成部は複数のプロセス速度で画像を形成するようにプロセス速度が切替可能に構成され、前記強度調整部は各プロセス速度に基づいて前記光線束の強度を各別に調整する点にある。
【００１６】
上述の構成によれば、強度調整部が、夫々のレーザ光源について異なるプロセス速度毎に光線束の強度を調整することで、各レーザ光源の異なるプロセス速度について適正な階調特性を得ることができる。よって、画像形成装置のプロセス速度に応じて各レーザ光源の階調特性を切り替えるように構成することで、プロセス速度の相違によって発生する虞がある各レーザ光源の特性のばらつきを低減することができる。
【００１７】
同第四の特徴構成は、同請求項４に記載した通り、上述の第一から第三の何れかの特徴構成に加えて、前記画像形成部がトナー色毎に形成された画像を重ね合わせてカラー画像を生成するように構成され、前記強度調整部はトナー色毎に形成されたベタのテストパッチと所定のドット充填率の網点によるテストパッチの一方もしくは両方に基づいて、所定の階調特性が得られるように前記光線束の強度を調整する点にある。
【００１８】
上述の構成によれば、強度調整部が、複数の感光体毎のレーザ光源について個別に光線束の強度を調整することで、各感光体のレーザ光源について、適正な階調特性を得ることができるので、カラー対応の画像形成装置であっても各レーザ光源の特性のばらつきを低減することができる。
【発明の効果】
【００１９】
以上説明した通り、本発明によれば、良好な階調特性を維持することができ、複数のレーザ光源の特性のばらつきを抑えることができる画像形成装置を提供することができるようになった。
【発明を実施するための最良の形態】
【００２０】
以下、本発明による画像形成装置としてタンデム方式のカラーデジタル複写機を用いた実施形態について説明する。
【００２１】
前記カラーデジタル複写機は、図１及び図２に示すように、カラーＣＣＤを備え、原稿画像を光電変換して読み取る画像読取部１と、前記画像読取部１で読み取られたＲＧＢ成分の画像データに対して階調変換、カラー調整、倍率変換等の画像処理を施し、ＹＭＣＫの各成分による出力画像データに変換する画像処理部２と、前記画像処理部２で変換された出力画像データに基づいて、レーザ光源から出力される光線束をパルス幅変調して像担持体４１を露光する露光部３と、前記露光部３により露光された前記像担持体４１を現像してトナー像を生成する画像形成部４と、前記画像形成部４に記録媒体としての用紙を供給する給紙部５１と、給紙された用紙にトナー像を転写する転写部６と、トナー像が転写された用紙を定着処理する定着部７と、前記用紙が排出される排紙部５２と、各種のメニューを設定する複数のメニュー設定キー等が配置された操作部８と、それらを制御する制御部９等を備えて構成されている。
【００２２】
前記露光部３は、同一の像担持体４１に対して複数のレーザ光源を備えたマルチビーム方式で構成されている。
【００２３】
詳述すると、前記露光部３は、図３（ａ）に示すように、可視赤色半導体レーザでなる複数のレーザ光源３０（図３（ａ）ではレーザ光源３０が二個の例を示している）と、前記レーザ光源３０の各々から出力された光線束を前記像担持体４１に向けて反射するべく、所定速度で回転するポリゴンミラー３１と、Ｆθレンズ３２等を備えて構成されている。
【００２４】
前記レーザ光源３０の各々は、図３（ｂ）に示すように、ＰＷＭ制御部とレーザ駆動部を備えて構成されている。
【００２５】
前記ＰＷＭ制御部は、所定周波数で発振する発振回路３３と、前記発振回路３から出力されたパルスを１ドットの解像度を決定する周波数のパルス信号に分周する分周回路３４と、前記分周回路３４の出力を画像データを構成する各画素値に応じてパルス幅変調するＰＷＭ回路３５で構成されている。
【００２６】
前記レーザ駆動部は、前記分周回路３４からの出力に基づいて前記ＰＷＭ回路３５から出力されたパルスのオン時間のみレーザダイオードＬＤを駆動するレーザ駆動回路３６と、各画素値に対応して決定される基準電圧を生成する基準電圧生成部３７と、レーザ光源３０に内蔵されたフォトダイオードＰＤによりモニタされるレーザダイオードＬＤの発光強度が前記基準電圧で設定される強度になるようにレーザダイオードＬＤの駆動電流をフィードバック制御する光量制御部３８を備えて構成されている。
【００２７】
そして、前記露光部３は、図３（ａ）に示すように、二個のレーザ光源３０から出力される複数の光線束を、被走査面である前記像担持体４１の表面の副走査方向に所定の光線間隔で結像させる。
【００２８】
前記画像形成部４は、トナー色毎に形成された画像を重ね合わせてカラー画像を生成するように構成されており、図２に示すように、像担持手段としての転写ベルト６１に沿って配置されたＭ（マゼンタ）、Ｃ（シアン）、Ｙ（イエロー）、Ｋ（ブラック）の各色に対応した四つの像担持体ユニット４０で構成されている。そして、各像担持体ユニット４０には、前記像担持体４１の周方向に沿って帯電装置、前記露光部３、現像ローラや磁気ローラ等よりなる現像装置、クリーナ、除電ランプ等が配置されている。
【００２９】
また、前記画像形成部４は複数のプロセス速度で画像を形成するようにプロセス速度が切替可能に構成されている。
【００３０】
詳述すると、前記制御部９は、所定の条件に基づいて、前記給紙部５１を制御して給紙タイミングを遅延させる、または、前記画像形成部４、前記転写部６、及び前記定着部７を制御してこれらの機能ブロックへの用紙の突入にウェイトをかける、若しくは、これらの機能ブロックの処理速度を変更する。例えば、前記制御部９は、用紙が厚い場合は、前記定着部７を通過する用紙の搬送速度が低下するように搬送系を制御し、用紙が薄い場合は、前記定着部７を通過する用紙の搬送速度が上昇するように前記搬送系を制御する。
【００３１】
前記転写部６は、三本のローラ６０に支持された無端状の前記転写ベルト６１と、前記転写ベルト６１を介して前記像担持体４１の反対側に配置された一次転写ローラと、前記転写ベルト６１に接触配置された二次転写ローラ６２等を備えて構成されており、前記像担持体ユニット４０で形成されたＭ（マゼンタ）、Ｃ（シアン）、Ｙ（イエロー）、Ｋ（ブラック）の夫々のトナー像が前記一次転写ローラに印加される転写電圧の作用によって前記転写ベルト６１上に一次転写され、前記二次転写ローラ６２に印加される転写電圧の作用によって前記給紙部５１から給紙された用紙に二次転写される。
【００３２】
前記制御部９は、ＣＰＵと、ＣＰＵにより実行される制御プログラム等が格納されたＲＯＭと、制御データを格納するＲＡＭ等を備えて構成されており、前記ＣＰＵにより実行される制御プログラム及び関連するハードウェアにより、前記カラーデジタル複写機に画像形成処理を実行させるための所定の機能、及び、以下で説明する所定の機能が実現される。
【００３３】
つまり、前記制御部９は、前記画像形成部４により前記転写ベルト６１に転写された濃度調整用のテストパッチの濃度を検出する濃度測定部９１と、前記濃度測定部９１により測定されたテストパッチの濃度に基づいて前記光線束の強度を調整する強度調整部９２とを備えて構成されている。
【００３４】
前記強度調整部９２による前記光線束の強度の調整は、例えば、装置の電源スイッチの投入時、または、装置の省電力モードからの復帰時において、通常の画像形成プロセスが可能な状態に移行するウォーミングアップ完了の前の所定時期等に実行される。
【００３５】
また、前記光線束の強度とは、前記レーザダイオードＬＤの発光によって生じる図３（ｃ）に示す波形のＰ１〜Ｐ３のことである。なお、図３（ｃ）では、前記露光部３は、出力する光線束の強度を意図的にオーバーシュートさせており、図中ＯＳがオーバーシュート成分である。
【００３６】
以下、前記濃度測定部９１について説明する。前記濃度測定部９１は、前記制御部９のＣＰＵによって実行される制御プログラムから検出開始の命令を受けると、前記制御部９がＲＯＭに記憶されている基準パターンのデータを読み出して、前記基準パターンが前記転写ベルト６１に転写されるように、前記画像形成部４及び前記転写部６を制御する。
【００３７】
ここで、前記基準パターンは、予め設定された順序に並べられた夫々階調パターンの異なる複数のテストパッチよりなる画素データを、前記画像形成部４にて前記転写ベルト６１に転写させた夫々画像濃度の異なる複数のテストパッチよりなる静電潜像である。前記基準パターンに使用する各色のグラデーション画像の例を図４（ａ）に示す。測定に用いるテストパッチは、図４（ａ）のグラデーションの一部のパターンから選択される。
【００３８】
そして、前記濃度測定部９１は、前記画像形成部４で形成され、前記転写ベルト６１に転写されたテストパッチの濃度を反射型濃度センサ４２により検出するよう構成されている。
【００３９】
前記反射型濃度センサ４２は、図２に示すように、前記転写ベルト６１の周方向に沿って、前記像担持体ユニット４０より下流側に設けられている。つまり、前記反射型濃度センサ４２は、各色の前記像担持体ユニット４０について共通のものが用いられる。
【００４０】
詳述すると、前記反射型濃度センサ４２は、図４（ｂ）に示すように、前記転写ベルト６１の法線方向に対して所定の傾斜角度で単一の偏光光を投光する投光部４２１と、前記法線方向に対して前記投光部４２１と反対側に配置され、前記転写ベルト６１からの反射光を前記投光光と同一の第１の偏光光と前記投光光と異なる第２の偏光光とに分離する偏光分離部４２２と、前記第１及び前記第２の偏光光を受光する第１及び第２の受光部４２３とを備えて構成されており、前記反射型濃度センサ４２によって検出される濃度値は、トナー像が形成されていない前記転写ベルト６１表面を検出したときを１として、トナー像の濃度が濃くなるほど低い値を示す。
【００４１】
なお、前記反射型濃度センサ４２の個数は、一個でも複数でもよい。前記反射型濃度センサ４２が複数個備えられている場合は、用紙の搬送方向に垂直に、つまり前記レーザ光源３０の主走査方向に平行に、例えば、中央と両端に設けられている。
【００４２】
以下、前記強度調整部９２について説明する。前記強度調整部９２は少なくともベタのテストパッチと所定のドット充填率の網点によるテストパッチに基づいて、所定の階調特性が得られるように前記光線束の強度を調整するように構成されている。
【００４３】
詳述すると、前記強度調整部９２は、図４（ａ）のテストパッチＥ１の領域の一部の拡大図である図５（ａ）に示すようなベタのテストパッチでは、最大の階調（例えば、２５６階調の場合だと２５５）で、前記濃度測定部９１で検出された濃度が所定値、例えばＩＤ １．６となるように、前記光線束の強度を調整する。
【００４４】
ここで、前記強度調整部９２は、前記レーザ光源３０に備えられた前記基準電圧生成部３７を制御して、基準電圧を加減させることによって、前記光線束の強度の調整を行なう。
【００４５】
また、前記強度調整部９２は、所定の充填率の網点によるテストパッチでは、所定の階調で、前記濃度測定部９１で検出された濃度が所定値となるように、前記光線束の強度を調整する。
【００４６】
ここで、所定の充填率の網点によるテストパッチは、前記テストパッチの隣接する各画素間が連続してドット充填された画素とならない充填率、例えば、充填率が略２５％のテストパッチである。
【００４７】
このようなテストパッチの一例を図で示すと、図４（ａ）のテストパッチＥ２の領域の一部の拡大図である図５（ｂ）や図５（ｃ）に示すようなテストパッチであり、このようなテストパッチは、例えば、白と白以外のドットを適度に分散させる面積階調法等によって作成される。
【００４８】
そして、前記強度調整部９２は、充填率に対応した階調、例えば充填率が２５％の場合は最大階調の２５％の階調で、前記濃度測定部９１で検出された濃度が所定値、例えばＩＤ １．６の２５％程度となるように、前記光線束の強度を調整する。
【００４９】
次に、前記強度調整部９２は、ベタのテストパッチと網点によるテストパッチにおいて夫々算出した階調に対応する濃度に基づいて、階調特性を導出する。
【００５０】
ここで、階調特性は、入力画像データの階調に対する出力画像データの各濃度が所望の階調性を確保できるように階調から濃度へ数値変換するルックアップテーブルとして導出され、前記制御部８に設けられたＲＯＭに記憶される。つまり、ある入力画像データの階調に対して前記ルックアップテーブルにて変換された出力画像データに対応した濃度値が出力される
【００５１】
階調特性の導出としては、例えば、前記強度調整部９２は、図７に示すように、両階調に対する両濃度の二点を直線で結ぶことによって階調と濃度の特性を導出する。
【００５２】
なお、以上の例ではベタのテストパッチと網点によるテストパッチの二箇所において算出した階調に対応する濃度に基づいて、階調特性を導出する構成について説明したが、一箇所または三箇所以上であってもよい。例えば、一箇所であれば、ベタのテストパッチにおいて算出した階調に対応する濃度の点と、階調が零で濃度が零の点との二点を直線で結ぶことによって階調と濃度の特性を導出する構成や、複数箇所の点を近似曲線で結ぶことによって階調と濃度の特性を導出する構成がある。
【００５３】
また、前記強度調整部９２はレーザ光源毎に形成された少なくともベタのテストパッチと所定のドット充填率の網点によるテストパッチに基づいて所定の階調特性が得られるように前記光線束の強度を各別に調整するように構成されている。
【００５４】
詳述すると、前記強度調整部９２は、複数のレーザ光源３０の各々によって、別々のテストパッチを形成させる。例えば、前記カラーデジタル複写機が二個の前記レーザ光源３０を備えている場合、一方のレーザ光源３０によって形成されるテストパッチが前記像担持体４１の主走査方向の左側に形成され、他方のレーザ光源３０によって形成されるテストパッチが前記像担持体４１の主走査方向の右側に形成される。
【００５５】
そして、前記強度調整部９２は、複数の前記レーザ光源３０の各々について、各レーザ光源３０によって形成されたテストパッチに基づいて、上述した調整処理、つまり、所定の階調特性が得られるような前記光線束の強度の調整処理を行ない、前記レーザ光源３０の各々についての階調特性を導出する。
【００５６】
また、前記強度調整部９２は各プロセス速度に基づいて前記光線束の強度を各別に調整する。
【００５７】
詳述すると、前記強度調整部９２は、前記カラーデジタル複写機において実現されるプロセス速度の各々について、別々のテストパッチを形成させる。例えば、前記カラーデジタル複写機が高速と低速の二種類のプロセス速度のモードを有している場合、前記強度調整部９２は、各モードについてテストパッチを形成させ、形成された各テストパッチに基づいて、上述した調整処理、つまり、所定の階調特性が得られるような前記光線束の強度の調整処理を行ない、高速モードと低速モードの各々についての階調特性を導出する。
【００５８】
また、前記強度調整部９２はトナー色毎に形成されたベタのテストパッチと所定のドット充填率の網点によるテストパッチに基づいて、所定の階調特性が得られるように前記光線束の強度を調整するように構成されている。
【００５９】
詳述すると、前記強度調整部９２は、像担持手段としてのＭ（マゼンタ）、Ｃ（シアン）、Ｙ（イエロー）、Ｋ（ブラック）の各色に対応した四つの像担持体ユニット４０の各々に、別々のテストパッチを形成させる。つまり、前記強度調整部９２は、複数備えられている像担持体４１の各々について、各像担持体４１に対応するレーザ光源３０によって形成されたテストパッチに基づいて、上述した調整処理、つまり、所定の階調特性が得られるような前記光線束の強度の調整処理を行ない、前記像担持体４１の各々についての階調特性を導出する。
【００６０】
なお、前記像担持体ユニット４０の各々に複数のレーザ光源３０が備えられている場合、前記強度調整部９２は、各像担持体４１に備えられているレーザ光源３０の各々についての階調特性を導出する。
【００６１】
以下、本発明によるカラーデジタル複写機の強度調整部９２による光線束の強度の調整について、図６に示すフローチャートに基づいて説明する。
【００６２】
濃度測定部９１は、制御部９のＣＰＵによって実行される制御プログラムから検出開始命令を受けると（Ｓ１）、ベタのテストパッチと網点のテストパッチの濃度を検出する（Ｓ２）。
【００６３】
強度調整部９２は、検出された両テストパッチに基づいて、所定の階調特性が得られるように光線束の強度を調整する（Ｓ３）。
【００６４】
前記強度調整部９２は、ステップＳ３の光線束の強度の調整を、複数の像担持体４１のうち現在選択されている像担持体４１の周方向に沿って配置されている全てのレーザ光源３０について実行する（Ｓ４、Ｓ５）。
【００６５】
また、前記強度調整部９２は、ステップＳ３の光線束の強度の調整を、前記カラーデジタル複写機に搭載されている全ての像担持体４１について実行する（Ｓ６、Ｓ７）。
【００６６】
さらに、前記強度調整部９２は、ステップＳ３の光線束の強度の調整を、前記カラーデジタル複写機が有しているプロセス速度の全段階について実行する（Ｓ８、Ｓ９）。
【００６７】
以下、別実施形態について説明する。上述の実施形態では、前記強度調整部９２による前記光線束の強度の調整は、例えば、装置の電源スイッチの投入時、または、装置の省電力モードからの復帰時において、通常の画像形成プロセスが可能な状態に移行するウォーミングアップ完了の前の所定時期に実行される構成について説明したが、強度の調整時期はこれに限らない。例えば、装置の電源スイッチの投入時または装置の省電力モードからの復帰時から所定枚数の印刷が完了した時や、トナーを充填しているトナーユニットの交換時期等であってもよい。
【００６８】
上述の実施形態では、強度調整部９２はベタのテストパッチと所定のドット充填率の網点によるテストパッチに基づいて、所定の階調特性が得られるように光線束の強度を調整する構成について説明したが、前記テストパッチはベタ及び網点に限らない。例えば、網点によるテストパッチの代わりに、図５（ｄ）に示すような線によるテストパッチであってもよい。
【００６９】
上述の実施形態では、濃度測定部９１は、画像形成部４で作成され、転写ベルト６１に転写されたテストパッチの濃度を反射型濃度センサ４２により検出する構成について説明したが、前記濃度測定部９１は、前記画像形成部４で作成され、用紙に記録された各テストパッチの濃度を画像読取部１により検出する構成であってもよい。
【００７０】
つまり、本実施形態のカラーデジタル複写機は、テストパッチは用紙に記録された上で前記カラーデジタル複写機から一旦出力され、出力されたテストパッチが記録された用紙は、原稿として前記画像読取部１に備えられたスキャナによって読み取られて前記濃度測定部９１に送られるのである。
【００７１】
上述の実施形態では、露光部３が同一の像担持体４１に対して複数のレーザ光源３０を備えたマルチビーム方式である構成について説明したが、前記露光部３が同一の像担持体４１に対して単一のレーザ光源３０を備えた方式であってもよい。
【００７２】
上述の実施形態では、本発明による画像形成装置としてタンデム方式のカラーデジタル複写機を用いた実施形態、つまり、画像形成部４が、転写ベルト６１に沿って配置された各色に対応した複数の像担持体ユニット４０で構成されているについて説明したが、前記画像形成装置はタンデム方式に限らない。
【００７３】
例えば、前記画像形成部４が、各色のトナーに対応する現像装置が装着されたロータリーラックと、複数の現像装置のうちの何れかの色の現像装置に備えられた現像ローラが、像担持体４１との対向位置に配置されるように、前記ロータリーラックを回転させるロータリーラック駆動手段とを備えて構成されており、一つの色が前記像担持体４１を介して中間転写ベルト６１に転写されると、当該色の残存トナーはクリーナによって前記像担持体４１から除去され、その後、前記ロータリーラックが前記ロータリーラック駆動手段に駆動されることで、各色が順番に前記中間転写ベルト６１に転写されて、カラー画像を形成する方式であってもよい。
【００７４】
上述の実施形態では、本発明による画像形成装置としてカラーデジタル複写機を用いた実施形態について説明したが、前記画像形成装置はカラーデジタル複写機に限らない。例えば、前記画像形成装置としてモノクロデジタル複写機、カラーまたはモノクロのアナログ複写機、プリンタ、ファクシミリ、複合機等を用いた実施形態であってもよい。
【００７５】
上述の実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００７６】
【図１】カラーデジタル複写機（画像形成装置）の機能ブロック構成図
【図２】カラーデジタル複写機（画像形成装置）の内部説明図
【図３】（ａ）は、露光装置の説明図、（ｂ）は、ＰＷＭ制御部及びレーザ駆動部の機能ブロック構成図、（ｃ）は、光線束の強度について説明する波形図
【図４】（ａ）は、テストパッチの説明図、（ｂ）は、反射型濃度センサの説明図
【図５】（ａ）は、ベタのテストパッチの説明図、（ｂ）と（ｃ）は、網点のテストパッチの説明図、（ｄ）は、線のテストパッチの説明図
【図６】本発明によるカラーデジタル複写機の強度調整部による光線束の強度の調整について説明するためのフローチャート
【図７】階調特性のグラフ
【符号の説明】
【００７７】
３：露光部
３０：レーザ光源
４：画像形成部
４１：像担持体
６１：転写ベルト
９１：濃度測定部
９２：強度調整部
【図１】
2008250115.tif 000003
【図２】
2008250115.tif 000004
【図３】
2008250115.tif 000005
【図５】
2008250115.tif 000006
【図６】
2008250115.tif 000007
【図７】
2008250115.tif 000008
【図４】
2008250115.tif 000009